(57)【要約】      （修正有）【課題】磁気を用いて目の周囲の血行を良くする磁気眼鏡を提供する。【解決手段】磁気眼鏡１００は、フレーム１のうちレンズを保持するリム部２に球状の磁石３が多数埋設された構造である。また、フレーム１のテンプル部４にも球状の磁石３が多数埋設されている。目の周りは、細い静脈や毛細血管が多く皮膚が薄いことから、磁気眼鏡１００のフレーム１に磁石３を埋設して磁力を発生させることで当該磁力が血流に作用しやすいものとなる。フレーム１に付与された複数の磁石３により、任意の一方向に磁力の強弱が調整されている。【選択図】図１
0003230200.tif 000002
【実用新案登録請求の範囲】
【請求項１】
目の周りに位置するリム部と、当該リム部と蝶番で連結したテンプル部とを有すると共に、前記リム部又はテンプル部に複数の磁石を埋設し、当該磁石の磁力をリム部又はテンプル部の任意の一方向にかけて強弱の傾斜を設けたことを特徴とする磁気眼鏡。
【請求項２】
磁性粉末を混合した樹脂により成形した目の周りに位置するリム部と、当該リム部と蝶番で連結したテンプル部とを有すると共に、
当該リム部又はテンプル部の任意の一方向にかけて磁力の強弱の傾斜を形成するように着磁したことを特徴とする磁気眼鏡。
【請求項３】
眼鏡のパッドに装着する樹脂製又は布製の本体と、
当該本体に設けた磁石と、
を備えてなることを特徴とする眼鏡用パッド。
【考案の詳細な説明】
【技術分野】
【０００１】
本考案は、磁気を用いて目の周囲の血行を良くする磁気眼鏡及び眼鏡用パッドに関するものである。
【背景技術】
【０００２】
従来から特許文献１に記載されているような眼鏡が知られている。この眼鏡は、眼鏡のフレームのつるの先端に磁石を埋め込んだ構成である。
【先行技術文献】
【特許文献】
【０００３】
【特許文献１】実用新案登録第３０２４１６５号公報
【考案の概要】
【考案が解決しようとする課題】
【０００４】
しかしながら、上記従来の眼鏡では、つるの先端に磁石を設けていることから目の周りに磁気を作用させることができない問題があった。本考案は、係る問題点を解決するためになされたものである。
【課題を解決するための手段】
【０００５】
本考案の磁気眼鏡は、目の周りに位置するリム部と、当該リム部と蝶番で連結したテンプル部とを有すると共に、前記リム部又はテンプル部に複数の磁石を埋設し、当該磁石の磁力をリム部又はテンプル部の任意の一方向にかけて強弱の傾斜を設けたことを特徴とする。
【０００６】
また、本考案の磁気眼鏡は、磁性粉末を混合した樹脂により成形した目の周りに位置するリム部と、当該リム部と蝶番で連結したテンプル部とを有すると共に、当該リム部又はテンプル部の任意の一方向にかけて磁力の強弱の傾斜を形成するように着磁したことを特徴とする。
【０００７】
また、本考案の眼鏡用パッドは、眼鏡のパッドに装着する樹脂製又は布製の本体と、当該本体に設けた磁石とを備えてなることを特徴とする。
【図面の簡単な説明】
【０００８】
【図１】本考案の実施の形態１に係る磁気眼鏡を示す斜視図である。
【図２】本考案の実施の形態１に係る磁気眼鏡を示す平面図である。
【図３】ボール形状の磁石をフレーム内に配置する際に用いる位置固定部材を示す説明図である。
【図４】本考案の実施の形態１に係る磁気眼鏡の変形例を示す斜視図である。
【図５】本考案の実施の形態２に係る眼鏡用パッドを示す斜視図である。
【図６】本考案の実施の形態２に係る眼鏡用パッドを示す斜視図である。
【図７】本考案の実施の形態２に係る眼鏡用パッドを示す斜視図である。
【図８】本考案の実施の形態２に係る眼鏡用パッドを示す斜視図である。
【図９】本考案の実施の形態２に係る眼鏡用パッドを示す斜視図である。
【図１０】本考案の実施の形態３に係る磁気眼鏡を示す平面図である。
【考案を実施するための形態】
【０００９】
図１は、本考案の実施の形態１に係る磁気眼鏡を示す斜視図である。この磁気眼鏡１００は、フレーム１のうちレンズを保持するリム部２に球状の磁石３が多数埋設された構造である。また、フレーム１のテンプル部４にも球状の焼結型の磁石３が多数埋設されている。目の周りは、細い静脈や毛細血管が多く皮膚が薄いことから、磁気眼鏡１００のフレーム１に磁石３を埋設して磁力を発生させることで当該磁力が血流に作用しやすいものとなる。
【００１０】
この磁気眼鏡１００では、図２（ａ）に示すように、フレーム１に付与された複数の磁石３により、任意の一方向に磁力の強弱が付与されている。リム部２のブリッジ５を有する鼻側（内側）の磁力が弱くなるように磁力の弱いものを用いる。磁力は、磁石３に付与する磁力を弱く設定することで設定できるが、これに限定されず磁石３の個数を増やしたり大きさを弱くすることで磁力を弱くできる。リム部２の耳側（外側）の磁力は強くなるように設定される。当該部分では、磁石３に付与する磁力を比較的強くすることで実現する。磁石３の大きさや個数で調整することもできる。
【００１１】
上記構成によりリム部２では、内側から外側に一方向にかけて強弱が設けられる。この強弱は、一定又は段階的に緩やかに増減するものとし且つ途中で増減しないことが好ましい。図２（ｂ）に示すように、テンプル部４にも一方向に磁力の強弱が設定される。この強弱の設定においても上記同様、磁石３の磁力の大きさや個数や磁石３の大きさで調整するものとする。同図では磁石３の個数により強弱を設定してある。テンプル部４では、テンプル部４のモダン側からリム部２に向けて磁力が弱くなるように設定する。
【００１２】
磁力の強弱をつけることで静脈への磁気作用に強弱を持たせることができる。また、細い毛細血管に対しても磁気作用を与えることができる。特に、強い磁力が作用する部分は血液の量が多い静脈に作用しやすく好適である。磁力の強弱は、血流を磁力の強弱を付与した一方向に対して作用するものと考えられる。更に、磁石３に焼結磁石を用いることから強い磁力が得られる。
【００１３】
図３は、球状の磁石をフレーム内に配置する際に用いる位置固定部材を示す。磁石３をフレーム１内に埋設して成形する場合、成形時に磁石３を固定しなければならない。位置固定部材２１は、型内で所定の位置に所定の磁石３が配置され当該位置にて磁石３が埋設成形されるようにするものである。図３（ａ）に示すように、磁石３を樹脂の膜で作った筒状体に入れて熱を加えてこれを収縮させ磁石３を所定間隔で固定する。
【００１４】
この状態で成形時に型内に配置し、フレーム１を構成する樹脂を当該型内に流し込んで成形したフレーム１内に磁石３を埋設する。このようにすれば、磁石３をフレーム１内の所定位置に配置できる。また、図３（ｂ）に示すように、複数設けた区画２３を有する短冊状の袋体２２に磁石３を入れて埋設しても良い。この場合、区画２３内に入れる磁石３の数を任意に決められるので磁石３の強弱の設定を行いやすい。
【００１５】
次に、図３（ｃ）に示すように、磁石３を保持する小さいホルダ２４を複数備えた棒状の支持体２５を用いることもできる。この支持体２５は、爪状のホルダ２４を所定位置に複数有するものである。ホルダ２４には、所定の大きさの磁石３がはめ込まれる。支持体２５は、フレーム１と同じ素材しても良いし、強度が異なる素材としても良い。当該支持体２５は、フレーム１を成形する際に当該フレーム１内に磁石３と共に埋没する。
【００１６】
なお、上記磁石３は球形または両端を丸めた丸棒状態が好ましい。フレーム１の成形の際に巣ができ難くフレーム１の強度低下を防止できるためである。使用する磁石３は、サマリウムコバルト系、ネオジウム系、フェライト系を使用できる。プラスチックの成形温度が１００度〜３５０度であるため、これらの磁石３が損傷することはない。
【００１７】
更に、フレーム１のブリッジ５に磁石３を埋設しても良い。埋設する磁石３は上記同様の球形の磁石３である。
【００１８】
図４は、本考案の実施の形態１に係る磁気眼鏡の変形例を示す斜視図である。この磁気眼鏡１５０は、板状の磁石３ａを半環状かつ帯状に形成すると共にリム部２の耳側から鼻側に向けてその幅が次第に狭くなるようにし、当該磁石３ａをテンプル部４に埋設または展着した構造である。磁石３ａは、リム部２において上下で一対設けられる。また、板状の磁石３ａを帯状に形成すると共にテンプル部４のモダン側からリム部２に向けてその幅が次第に狭くなるようにし、当該磁石３ａをテンプル部４に埋設または展着する。
【００１９】
磁石３ａには、上記のように帯状に形成したラバーマグネットを用いる。磁力を高めるためリム部２及びテンプル部４の樹脂表面に近い部分に埋設するのが好ましい。上記構成によりリム部２及び端プル部４では、内側から外側に一方向にかけて強弱が設けられる。この強弱は、一定又は段階的に緩やかに増減するものとし且つ途中で増減しないことが好ましい。係る構成によれば、マグネットの取り扱いが容易であり製造しやすい。
【００２０】
（実施の形態２）
図５は、本考案の実施の形態２に係る眼鏡用パッドを示す斜視図である。この眼鏡用パッド５０は、同図（ａ）に示すように、眼鏡Ｇに設けてあるパッドＰ（上記パッド６２，６３の場合も含む）に装着する左右一対のカバー体６０である。カバー体６０の鼻に接触する部分の内部には磁石３が配置されている。このカバー体６０は変形可能な素材からなり好ましくは伸縮性があるものとする。布製にすると汗をかいたときに吸水するので滑り難くなる。カバー体６０は空洞状のホルダ部６１を有する。パッドＰにカバー体６０を装着すると、その眼鏡Ｇに簡単に磁力の機能を設けることができる。このカバー体６０を装着した状態で眼鏡Ｇをすることで、鼻周りに磁力を作用できる。
【００２１】
また、この眼鏡用パッド６２は、同図（ｂ）に示すように、眼鏡のパッド自体に球状の磁石３を埋設した構造である。係る構成であっても鼻周りに磁力を作用できる。更に、同図（ｃ）に示すように、磁性体粉末を樹脂に混合して成形した眼鏡用パッド６３を用いても良い。当該樹脂は成形後に着磁することで磁力を付与され、パッドとして用いることで鼻周りに磁力を作用できる。眼鏡用パッド６２，６３は、リム部２に対して交換が容易であることから、上記実施の形態１の構成のオプションとして販売しても良い。
【００２２】
パッドＰに装着するカバー体７０は、図６に示すように、帯状の一体形状でも良い。このカバー体７０は、鼻の一部を覆うようになる。カバー体７０には、（ａ）に示すように、複数の焼結型の磁石３が内設されている。カバー体７０の両端には眼鏡ＧのパッドＰに装着する空洞状のホルダ部７１が設けられる。カバー体７０は布製にすると汗をかいたときに吸水するので滑り難くなる。磁石３は、鼻の両側に位置するように前記カバー体７０に設けられる。前記磁石３ａは、（ｂ）に示すように、ラバーマグネットを矩形に切断してカバー体７０ａに内設する構造でも良い。ラバーマグネットを使用することでカバー体７０を薄くできる。特に左右のホルダ部７１の間の部分を薄くできるので形がきれいである。
【００２３】
更に、（ｃ）に示すように、磁性体粉末を混合した樹脂でカバー体７０ｂを成形し、全体を着磁しても良い。磁性体粉末は、フェライト系、ネオジム系、サマリウムコバルト系等を使用できる。着磁は、強い磁力を生じさせる異方性の着磁方法が好ましい。カバー体７０ｂの両端には眼鏡ＧのパッドＰに装着する空洞状のホルダ部７１が設けられる。
【００２４】
図７は、カバー体を布製として装飾用のドレスカバーに用いる構成を示す説明図である。ドレスカバー７３には、パッドＰを挿入する切り込み７６が設けられ内部が袋状になるホルダ部７１が設けられる。ドレスカバー７３は、吸水性の高い布材からなる。冠婚葬祭用に黒または白の布材で構成することもできる。更に、季節により素材を変更しても良い。夏は通気性がよく吸水性が良い素材を用い、冬は暖かい厚手や起毛の素材を用いる。季節により色合いを変更しても良い。ドレスカバー７３において磁石は必須ではない。
【００２５】
更に、図８に示すように、眼鏡ＧのパッドＰに装着するドレスカバー７４により眼鏡Ｇを装飾しても良い。ドレスカバー７４はパッドＰを挿入する切り込み７６が設けられ内部が袋状になるホルダ部７５を有する。ドレスカバー７４は、吸水性の高い布材からなる。冠婚葬祭用に黒または白の布材で構成することもできる。更に、季節により素材を変更しても良い。夏は通気性がよく吸水性が良い素材を用い、冬は暖かい厚手や起毛の素材を用いる。季節により色合いを変更しても良い。なお、ドレスカバー７４において磁石は必須ではない。
【００２６】
係る構成の眼鏡用パッド５０は、上記実施の形態１の磁気眼鏡１００と一緒に用いても良いし、市販の普通の眼鏡Ｇと共に使用しても良い。
【００２７】
テンプル用の眼鏡用パッド５０は、図９に示すように、普通の眼鏡Ｇのテンプル部Ｔに挿入するストロー状の本体８０としても良い。本体８０には、複数の磁石３が埋設してある。本体８０は、既存の眼鏡Ｇのテンプル部Ｔに挿通して使用する。本体８０は前記磁石３の配置、個数を変えたり磁力自体が異なる磁石３を用いたり、磁石３の大きさを変えたりすることにより長手方向に磁力の強弱が形成される。係る構成であれば、ユーザが普段から使用している眼鏡Ｇに対して簡単に使用できる。
【００２８】
（実施の形態３）
図１０は、本考案の実施の形態３に係る磁気眼鏡を示す平面図である。この磁気眼鏡２００は、フレーム１を構成する樹脂に磁性体粉末を混合すると共にこれを着磁して一方向に磁力の強弱を形成した構造である。磁性体粉末は、フェライト系、ネオジム系、サマリウムコバルト系等を使用できる。着磁は、強い磁力を生じさせる異方性の着磁方法が好ましい。
【００２９】
図１０に示すように、フレーム１の各部位の着磁の際に磁力を調整することで任意の一方向に磁力の強弱が付与されている。リム部２の鼻側（内側）の磁力が弱くなるように着磁する。リム部２の耳側（外側）の磁力が強くなるように着磁する。同図に示すように、リム部２の着磁領域を複数に分割し、着磁機により領域ごとに着磁を行う。その際、着磁の量を調整し、内側から外側に一方向にかけて磁力に強弱の傾きが形成されるようにする。同図では、着磁した磁力の大きさを「強」、「中」、「弱」で示した。この強弱は、緩やかに増加又は減少するものとし且つ途中で増減しないことが好ましい。テンプル部４にも着磁の量を調整することで一方向に磁力の強弱の傾斜が設定される。当該テンプル部４では、テンプル部４のモダン側からリム部２に向けて磁力が弱くなるように設定する。
【００３０】
磁性体粉末を混合した樹脂により成形した磁気眼鏡２００は、外観は通常の眼鏡と全く異ならない。また、磁石を型内に配置する手間がかからないため、製造しやすい。更に、フレーム１の部分における磁力の分布を着磁機により細かく設定できる。
【００３１】
また、磁力の強弱の傾きを磁性体粉末の密度を変更することで実現しても良い。このようにすれば磁性体粉末を無駄に使用しないことからコスト減となり、磁気眼鏡２００の軽量化を図ることができる。具体的には、型内の流路から磁性体の密度が異なる樹脂を流し込む。流路は、フレーム１のリム部２であれば鼻側の流路から密度が小さい樹脂を流し、耳側の流路から密度が大きい樹脂を流し、密度に差を設ける。着磁の際は、全てを一体で着磁する。
【００３２】
テンプル部４においても同様、モダン側の流路から密度が大きい樹脂を流し、リム側の流路から密度が小さい樹脂を流し、密度に差を設ける。着磁の際は、全てを一体で着磁する。これにより、フレーム１全体として磁力の強弱が形成される。
【００３３】
以上、この考案の磁気眼鏡によれば、医療用として用いることができ、疲れて重くなった目の周りの血流をよくすることができる。また、この考案の眼鏡用パッドによれば、医療用として用いることができ、鼻づまりでうっ血した血流をよくすることができる。
【符号の説明】
【００３４】
１００  磁気眼鏡
１  フレーム
２  リム部
３  磁石
４  テンプル部
５  ブリッジ
６  パッド
【図１】
0003230200.tif 000003
【図２】
0003230200.tif 000004
【図３】
0003230200.tif 000005
【図４】
0003230200.tif 000006
【図５】
0003230200.tif 000007
【図６】
0003230200.tif 000008
【図７】
0003230200.tif 000009
【図８】
0003230200.tif 000010
【図９】
0003230200.tif 000011
【図１０】
0003230200.tif 000012